(57)【要約】【課題】包装状態がコンパクトであり、使用の際に、一部が変形して着用者の肌側に向かって隆起し、良好なフィット性が得られる吸収性物品を提供すること。【解決手段】本発明の吸収性物品は、表面シート２、裏面シート及びこれら両者間に配された吸収体２を備え、該吸収体４は、その長手方向の一部における幅方向中央部に、周囲より厚みが厚い肉厚部４Ｍを有しており、該肉厚部４Ｍをそれぞれ幅方向に横切る、相互に離間した２本の折曲線Ｌ１，Ｌ２に沿って長手方向に折り曲げられた状態で包装されている。【選択図】図１
2008061761.tif 000002
【特許請求の範囲】
【請求項１】
表面シート、裏面シート及びこれら両者間に配された実質的に縦長の吸収体を備え、該吸収体は、その長手方向の一部における幅方向中央部に、周囲より厚みが厚い肉厚部を有しており、
前記肉厚部を、それぞれ幅方向に横切る相互に離間した２本の折曲線を有し、該折曲線に沿って長手方向に折り曲げられた状態で包装されている吸収性物品。
【請求項２】
前記吸収体における、前記肉厚部及び該肉厚部の左右両側に位置する部分は、繊維同士が結合した嵩高繊維を含んでいる請求項１記載の吸収性物品
【請求項３】
前記吸収体は、前記肉厚部の幅が１０〜４０ｍｍであり、該肉厚部の左右両側に位置する部分の幅が、それぞれ１０〜４０ｍｍである請求項１記載の吸収性物品。
【請求項４】
展開状態の吸収性物品の長手方向において、前記肉厚部の長さは、前記吸収体の全長の２５〜６０％であり、該肉厚部の各端部から２本の前記折曲線のうち該各端部に近い方までの距離は、それぞれ該肉厚部の全長の５〜２０％であり、２本の前記折曲線同士間の距離が、該吸収体の全長の２０〜４５％である請求項１〜３の何れかに記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
従来、生理用ナプキン等の吸収性物品として、肌当接面側における幅方向中央部に隆起部を形成して着用者の液排泄部や臀裂に対するフィット性を高めたものが知られている。
例えば、特許文献１には、トップシートとバックシートとの間に、長手方向に延びるリフティング部材を備え、該リフティング部材が、その長手方向に沿って複数のプリーツを有し、該プリーツが、バックシートに対してトップシートの一部を、物品の厚み方向（Ｚ方向）に変形させるための同方向の高さを有している使い捨て吸収物品が記載されている。
【０００３】
【特許文献１】特表平９−５０６８０６号公報
【発明の開示】
【発明が解決しようとする課題】
【０００４】
しかし、生理用ナプキン等の吸収性物品は、長手方向に折り曲まれた状態で包装材により個別に包装（個装）されて市販等されることが通常であり、包装から吸収性物品を取り出したときに、隆起部が充分に隆起せず、期待された効果が得られない場合があった。
他方、予め隆起部の高さを充分に高くしておくと、個装された状態がコンパクトにならない、製造工程において隆起が潰されてしまう、包装工程あるいは使用までの間個包装での保存されている間に隆起部分のつぶれがおこる等の不都合があった。
【０００５】
従って、本発明の目的は、包装状態がコンパクトであり、使用の際に、一部が変形して着用者の肌側に向かって隆起し、良好なフィット性が得られる吸収性物品を提供することにある。
【課題を解決するための手段】
【０００６】
本発明は、表面シート、裏面シート及びこれら両者間に配された吸収体を備え、該吸収体は、その長手方向の一部における幅方向中央部に、周囲より厚みが厚い肉厚部を有しており、該肉厚部をそれぞれ幅方向に横切る、相互に離間した２本の折曲線に沿って長手方向に折り曲げられた状態で包装されている吸収性物品を提供することにより、上記目的を達成したものである。
【発明の効果】
【０００７】
本発明の吸収性物品は、包装状態がコンパクトであり、使用の際に、一部が変形して着用者の肌側に向かって隆起し、良好なフィット性が得られるものである。
【発明を実施するための最良の形態】
【０００８】
以下、本発明をその好ましい実施形態に基づき図面を参照しながら説明する。
本発明の一実施形態である生理用ナプキン１（以下、単にナプキン１ともいう）は、図１及び図２に示すように、液透過性の表面シート２、液不透過性（難透過性も含む概念である）の裏面シート３、及びこれら両シート２，３間に介在された液保持性の吸収体４を具備する。ナプキン１は、着用時に着用者の排泄部に対向する排泄部対向部Ａと、該排泄部対向部Ａの前後に延在する前方部Ｂ及び後方部Ｃとを有する。ナプキン１の着用時には、前方部Ｂが着用者の前（腹）側に、後方部Ｃが着用者の後（背）側にそれぞれ配される。
【０００９】
表面シート２は、図１及び図２に示すように、吸収体４の肌当接面側の全域を被覆している。裏面シート３は、吸収体４の非肌当接面側の全域を被覆している。表面シート２及び裏面シート３は、それぞれ、吸収体４の周縁部から外方に延出した部分を有し、それらの延出部分が、ナプキン１の周縁部付近において互いに接合されている。尚、裏面シート３の下着対向面には、ナプキン１をショーツ等の下着に固定するための粘着部（図示略）が形成されている。
【００１０】
本実施形態のナプキン１における吸収体４は、図１に示すように、着用時の前後方向と同方向に長い形状を有しており、その長手方向の一部における幅方向中央部に、その周囲に位置する吸収体の他の部分より厚みが厚い肉厚部４Ｍを有している。
本実施形態における吸収体４は、図１及び図２に示すように、吸収体４の全域に亘るように配された主吸収体４１と、排泄部対向部Ａ付近の幅方向中央部のみに配された中央吸収体４２とから構成されている。
【００１１】
図１及び図２に示すように、主吸収体４１は、下部吸収体４１１と、該下部吸収体４１１の肌当接面側に配された上部吸収体４１２とから構成されている。下部吸収体４１１及び上部吸収体４１２は、吸収体４の平面視形状と略等しい外形を有している。他方、中央吸収体４２は、主吸収体４１より小型であり、主吸収体４１を構成する下部吸収体４１１と上部吸収体４１２との間に配されている。
【００１２】
下部吸収体４１１、上部吸収体４１２及び中央吸収体４２は、それぞれ、吸収性シートからなる。図示しないが、中央吸収体２は、一枚の吸収性シートを折り畳んで２層にして用いている。具体的には、平面視長方形ないし正方形状の吸収性シートにおける、ナプキンの長手方向と一致する方向の両側部を、裏面シート３側に折り返し、その折り返した部分の端縁同士を吸収性シートの幅方向中央部で重ね合わせてある。
【００１３】
本実施形態における吸収体４においては、下部吸収体４１１と上部吸収体４１２との間に中央吸収体４２が介在していない部位が２層構造となっているのに対して、下部吸収体４１１と上部吸収体４１２との間に中央吸収体４２が介在する部位が４層構造となっている。そして、下部吸収体４１１と上部吸収体４１２との間に中央吸収体４２が介在する部位が、肉厚部４Ｍとなっている。以下においては、吸収体の、肉厚部４Ｍ以外の部分のうち、該肉厚部４Ｍの吸収体長手方向左右両側に位置する部分（吸収体の肉厚部の左右両側に位置する部分）を両側部４Ｓ，４Ｓという。
【００１４】
本実施形態のナプキン１は、図１及び図３に示すように、肉厚部４Ｍをそれぞれ幅方向に横切る、相互に離間した２本の折曲線Ｌ１，Ｌ２に沿って長手方向に折り曲げられた状態で包装されている。
【００１５】
包装状態のナプキン１について更に説明すると、ナプキン１は、何れもナプキン１を幅方向に横切る折曲線である３本の折曲線Ｌ１〜Ｌ３で長手方向に折り曲げられている。
各折曲線Ｌ１〜Ｌ３によるナプキン１の折曲の向きは、何れも裏面シート３側が山、表面シート２側が谷となる向きであり、折曲線Ｌ１〜Ｌ３による折曲の際の折曲の順序は、図３に示すように、Ｌ３、Ｌ２、Ｌ１の順である。折曲線Ｌ２及びＬ１による折曲の際には、図３（ａ）に示すように包装材５がナプキン１の非肌当接面側に配されており、ナプキン１と包装材５とは一体的に折曲されている。図３（ｂ）に示すように、包装材５における、折り畳まれたナプキン１の両側縁から延出する部分がヒートシールにより封止され、更にタブテープ６で、包装材の長手方向の端部がその対向面に止めつけてある。
包装に用いられる包装材の材質や包装の方法等は、従来の、個装された吸収性物品と同様とすることができる。
【００１６】
本実施形態のナプキン１は、上述したように、吸収体４の肉厚部４Ｍを幅方向に横切る２本の折曲線Ｌ１，Ｌ２それぞれに沿って長手方向に折り曲げられた状態で包装されており、その折曲線Ｌ１，Ｌ２における折曲の向きがナプキン１の非肌当接面側が山となる向きであり、更に吸収体４の肉厚部４Ｍは、両側部４Ｓより高い剛性を有するため、ナプキン１の幅方向中央部における、折曲線Ｌ１，Ｌ２により折曲された箇所には、しっかりとした強い折りグセが付いている。そのため、ナプキン１を使用する際に、ナプキン１を、ショーツ等の下着の肌対向面上に平面状に拡げたときに、その折りグセが付いた部分Ｌ１’，Ｌ２’は、図４に示すように、断面略Ｖ字あるいは逆への字状に屈曲した状態を維持し易い。
【００１７】
また、２本の折曲線Ｌ１，Ｌ２間が離間しており、また、吸収体４の肉厚部４Ｍは、排泄部に設けられているため、装着時に身体にそって湾曲することと、身体から受ける応力によって前後方向において折曲線間に他の部位よりもたわみを生じやすく、折曲線Ｌ１、Ｌ２によって隆起部１３を形成することが可能となる。ナプキン１の折曲線Ｌ１より前方に位置する部分１１及び折曲線Ｌ２より後方に位置する部分１２を、ショーツ等の下着７に押し当て装着すると、この作用が働き、ナプキン１の２本の折曲線Ｌ１，Ｌ２間に位置していた部分１３が、図４に示すように、着用者の肌側に向かって凸に湾曲し、着用者の肌側に向かって隆起する。
この隆起した部分１３は、ナプキン１の長手方向（Ｘ方向）に沿う断面は、円弧状をなすのに対して、ナプキン１の幅方向（Ｙ方向）に沿う断面は、肉厚部４Ｍにおいて比較的平坦である。本実施形態のナプキンのように、隆起した部分１３のナプキン幅方向の断面が、長手方向の断面に比べて平らであると、装着時に肉厚部４Ｍの幅に相当する幅で身体の排泄部位にフィットすることが可能となり、身体との密着性をより高めることが可能となる。それにより排泄された液を素早く吸収し、モレ防止効果を高めることが可能となる。
【００１８】
また、本実施形態のナプキン１においては、肉厚部４Ｍの両側部分が、肉厚部４Ｍより厚みが薄く、柔軟である両側部４Ｓ，４Ｓとなっているため、ナプキン１の折り曲げられていた部分に生じた谷部に連続する谷部が、ナプキンの両側部に形成されにくい。そのため、液が谷部を流れてナプキンの側方に漏れ出すこともなく、また、ナプキンの両側部が、着用者に違和感を与えることも防止することができる。
更に、本実施形態のナプキン１においては、上述した隆起部１３が、該ナプキン１の一部が変形することにより生じ、ナプキン自体に隆起部１３と同等以上の高さの肉厚部を形成しておく必要はないため、包装状態がコンパクトである。
【００１９】
包装状態における折曲線との関係で上述した隆起部１３を形成させる観点から、本実施形態のナプキン１は、以下の構成を有することが好ましい。
吸収体４の肉厚部４Ｍは、中央吸収体４２が、両側部４Ｓに用いるシート材料に同じ材料または、異なるシート材料を重ねて形成されており、重ねられたそれぞれの層間はエンボス、ホットメルトのような接着手段により一体化されている。このように中央吸収体４２が単独で一体的となる構造を有することで、排泄部に近い位置に設けられている肉厚部4Ｍは、装着時に身体にそった湾曲と、身体から受ける応力を肉厚部４Ｍに連動させることが可能となり、前後方向に折曲線Ｌ１、Ｌ２によって押し出され、隆起部１３を形成することが可能となる。中央吸収体４２は、折曲線間の隆起が坐屈しにくい弾性的特性を備え易い点から、多層間の接合には、ホットメルトのような粘着剤を用いた手段が好ましく、単一の繊維シート材料や熱的接合を用いる場合には、弾性的挙動を示す繊維材料を配合することが好ましい。
吸収体の両側部４Ｓ，４Ｓは、シート材料を単層あるいは、２層以上重ねることで形成されており、前記多層構造の場合、層間が熱エンボスやホットメルト型粘着剤によって接合されていても接合されていなくても良いが、隆起形成による応力の影響を緩和する観点からは接合されていないことが好ましく、前記谷部が形成されにくい観点からは接合されていることが好ましい。
【００２０】
また、同様の観点から、吸収体４の肉厚部４Ｍは、上部吸収体４１２または下部吸収体４１１、あるいは上部吸収体４１２及び下部吸収体４１１が、両側部４Ｓに用いるシート材料を肉厚部４Ｍにおいても使用しており、両側部４Ｓと同じ材料または異なる材料からなる中央吸収体４２をはさみ込むことにより形成されており、重ねられたそれぞれの層間はエンボス、ホットメルトのような接着手段により一体化されている。
【００２１】
また、吸収体４の肉厚部４Ｍおよび両側部４Ｓ，４Ｓは、嵩高繊維を５０重量％以上、特に５０〜６０重量％含んでいることが、両側部４Ｓにおける連続する谷部の形成させにくくし、肉厚部４Ｍに違和感を生じさせない観点で好ましい。
嵩高繊維は、繊維形状が捻れ構造、クリンプ構造、屈曲および、または、分岐構造の立体構造をとるか、または断面積が極太（たとえば繊維粗度が０．３ｍｇ／以上）である繊維である。
嵩高繊維としては、特に天然セルロース繊維、再生セルロース繊維、ＰＥＴ、ＰＥ、ＰＰなどの合成繊維を親水化処理して得られた繊維が好ましく、これらは２種以上の組み合わせて用いることができるが、吸収性、コストの観点から木材パルプ等を用いることが好ましい。
尚、嵩高繊維と併用する繊維としては、親水性表面を有する繊維であれば、特に制限をなく用いることができるが、嵩高繊維と同様の弾性効果を高める観点からは、ポリエチレン、ポリプロピレン、ポリエステル等の合成樹脂よりなる単独または複合繊維を５〜２０％含むことも好ましい。
【００２２】
また装着時に製品が湾曲し、前後から押し出されることによって形成される隆起部１３の良好な形成性および装着時に違和感を生じないという観点から、吸収体４は、前記肉厚部４Ｍの幅が１０〜４０ｍｍ、特に２５〜３５ｍｍであり、前記両側部４Ｓ，４Ｓそれぞれの幅は、ナプキン幅方向にが１０〜４０ｍｍ、特に１５〜３０ｍｍであることが好ましい。これらの幅は、肉厚部４Ｍを横切る折曲線の位置において測定する。
【００２３】
また、隆起部１３の良好な形成性および装着時の排泄部位へのフィット性という観点から、展開状態のナプキンの長手方向において、肉厚部４Ｍの長さＬ５は、吸収体４の全長Ｌ４の２５〜６０％、特に３０〜５０％であることが好ましく、肉厚部４Ｍの各端部４２ｆ、４２ｒから２本の折曲線Ｌ１，Ｌ２のうち該各端部４２ｆ、４２ｒに近い方までの距離Ｌ６，Ｌ７は、それぞれ該肉厚部４Ｍの全長Ｌ５の５〜２０％、特に１０〜１５％であることが好ましく、２本の折曲線Ｌ１，Ｌ２同士間の距離Ｌ８は、吸収体４の全長Ｌ４の２０〜４５％、特に２５〜３５％であることが好ましい。
【００２４】
数値的に言えば、前記長さＬ５は６０〜１００ｍｍ、特に７０〜９０ｍｍであることが好ましく、前記距離Ｌ６，Ｌ７は、それぞれ５〜２０ｍｍ、特に７〜１５ｍｍであることが好ましく、前記距離Ｌ８は、４５〜８５ｍｍ、特に６５〜８０ｍｍであることが好ましい。
【００２５】
本実施形態のナプキン１は、包装から取り出して展開した状態における最大厚みが５ｍｍ以下である。最大厚みは、内部に吸収体の肉厚部４Ｍが存在する部位の厚みである。最大厚みを５ｍｍ以下に抑えることで、包装状態が一層薄くコンパクトとなる。ナプキン（吸収性物品）の最大厚みは、１．５〜５ｍｍ、特に２．０〜３．５ｍｍであることが好ましい。
【００２６】
本実施形態のナプキン１における裏面シート３側の面には粘着部（図示略）が設けられている。この粘着部は、ショーツ等の下着の肌対向面に当接し、ナプキン１と下着との間に位置ズレが生じるのを防止するものである。本実施形態のナプキン１における粘着部は吸収体４の幅方向に延びる帯状の粘着部を多数間欠的に形成してなる。これにより製品裏面シート側において、肉厚部４Ｍに設けられた山部の前後あるいは山部は、ショーツに全面接着することなく部分的に接着固定されるため折りグセによる形状を維持し、折曲線Ｌ１、Ｌ２間に位置する部分１３を隆起させることが可能となる。
【００２７】
本実施形態のナプキン１の各部を構成する材料について説明する。表面シート２や裏面シート３としては、この種の物品に通常用いられているものを特に制限無く用いることができる。例えば、表面シート２としては、親水性且つ液透過性の不織布や、開孔フィルムを用いることができる。裏面シート３としては、液不透過性の材料や撥水性の材料を用いることができる。液不透過性の材料としては、樹脂フィルムや、樹脂フィルムと不織布等とのラミネート材等を用いることができ、撥水性の材料としては、スパンボンド・メルトブローン・スパンボンド等からなる多層構造の複合不織布、スパンボンド不織布、ヒートボンド不織布、エアスルー不織布等を用いることができる。
【００２８】
吸収体４を構成する吸収性シートとしては、２枚の不織布や紙の間に吸収性ポリマーやパルプを担持した吸収性シート、特開平８−２４６３９５号公報記載の吸収性シート等を用いることができる。
【００２９】
本発明の吸収性物品は、前述した実施形態に制限されることなく、本発明の趣旨を逸脱しない範囲で適宜変更が可能である。
例えば、吸収体の構成は、主吸収体４１の内部に中央吸収体４２を介在させるのに代えて、図５に示すように、主吸収体４１の表面シート２側に中央吸収体４２を積層することもできる。また、主吸収体４１の裏面シート３側に中央吸収体４２を積層することもできる。また、肉厚部４Ｍと側部４Ｓの厚みを、それぞれを構成する吸収性シートの層数の差により異ならせるのに代えて、それぞれに配される吸収体の坪量の差により異ならせることもできる。吸収性シートの層数の差により異ならせる場合の層数の差は、１又は３以上であっても良い。
【００３０】
また、本発明の吸収性物品は、生理用ナプキン以外に、パンティライナー（おりものシート）、失禁パッド等であっても良い。
【図面の簡単な説明】
【００３１】
【図１】図１は、本発明の一実施形態としての生理用ナプキンを展開状態として表面シート側から見た状態を示す平面図である。
【図２】図２は、図１のＩＩ−ＩＩ線拡大断面図である。
【図３】図３は、生理用ナプキンを包装材と共に折り畳んで包装する様子を示す図である。
【図４】図４は、図１の生理用ナプキンを包装から取り出してショーツの肌対向面上に固定した状態を示す斜視図である。
【図５】図５は、本発明の他の実施形態としての生理用ナプキンを示す断面図である。
【符号の説明】
【００３２】
１  生理用ナプキン（吸収性物品）
２  表面シート
３  裏面シート
４  吸収体
４Ｍ  肉厚部
４Ｓ，４Ｓ  両側部（肉厚部の左右両側に位置する部分）
５  包装材
６  タブテープ
Ｌ１，Ｌ２  肉厚部を横切る折曲線
【図１】
2008061761.tif 000003
【図２】
2008061761.tif 000004
【図３】
2008061761.tif 000005
【図４】
2008061761.tif 000006
【図５】
2008061761.tif 000007